(57)【要約】【課題】１台で異系統の電圧でも同系統の電圧を計測可能な多回路電力計測装置において、同系統の電圧計測時には、電圧配線の外部渡り配線が必要である。【解決手段】電圧入力選択部８ａ，８ｂによって同系統の電圧を用いて電力計測演算を行うと選択されると、電圧信号を渡す側の電力計測ユニット１ａの電圧演算結果を電圧信号が渡される側の電力計測ユニット１ｂ，１ｃに通信接続部９ａ，９ｂ，９ｃを通して送信し、電圧信号を渡す側の電力計測ユニット１ａの電圧演算結果と電圧信号が渡される側の電力計測ユニット１ｂ，１ｃの電圧演算結果が一致するように電圧信号が渡される側の電力計測ユニット１ｂ，１ｃの前記演算を自動調整する。【選択図】図１
2015230271.tif 000002
【特許請求の範囲】
【請求項１】
複数の電力計測ユニットで構成され前記複数の電力計測ユニットによって異系統の電圧の多回路の電力計測と同系統の電圧の多回路の電力計測を、電力計測が行われる配線の電圧と電流とに基づいて行え、それぞれの前記電力計測の結果が表示される多回路電力計測装置であって、
前記複数の電力計測ユニットの各々が、前記電力計測が行われる配線にかかる電圧を入力する電圧入力部、前記配線に流れる電流を入力する電流入力部、電圧と電流とに基づいて電力および電力量を演算する演算部、および通信接続部を有し、
前記複数の電力計測ユニットの一つ以外の他の電力計測ユニットが、前記異系統の電圧を用いて前記演算を行うか前記同系統の電圧を用いて前記演算を行うか択一的に切替える電圧入力選択部を有し、
前記電圧入力選択部によって前記同系統の電圧を用いて前記演算を行うと選択されると、電圧信号を渡す側の電力計測ユニットの電圧演算結果を前記電圧信号が渡される側の電力計測ユニットに前記通信接続部を通して送信し、前記電圧信号を渡す側の電力計測ユニットの電圧演算結果と前記電圧信号が渡される側の電力計測ユニットの電圧演算結果が一致するように前記電圧信号が渡される側の電力計測ユニットの前記演算を自動調整する
ことを特徴とする多回路電力計測装置。
【請求項２】
請求項１に記載の多回路電力計測装置において、
前記複数の電力計測ユニットが、出荷時にそれぞれ前記異系統の電圧の回路から入力された電圧および電流に基づいて前記電力計測の調整が行われ、前記同系統の電圧の多回路からの電圧印加時には前記電圧信号が渡される側の電力計測ユニットが前記演算を自動調整する
ことを特徴とする多回路電力計測装置。
【請求項３】
請求項１または請求項２に記載の多回路電力計測装置において、
前記電圧信号を渡す側の電力計測ユニットが、前記電力計測の結果が表示される機能を有するメイン電力計測ユニットであり、
前記電圧信号が渡される側の電力計測ユニットが、前記電力計測の結果が表示される機能を有さないサブ電力計測ユニットであり、
記電圧信号が渡される側の電力計測ユニットの前記電力計測の結果が通信接続部を介して前記メイン電力計測ユニットに表示される
ことを特徴とする多回路電力計測装置。
【請求項４】
請求項１または請求項２に記載の多回路電力計測装置において、
前記電圧信号を渡す側の電力計測ユニットおよび前記電圧信号が渡される側の電力計測ユニットが、前記電力計測の結果が表示される機能を有さないサブ電力計測ユニットである
ことを特徴とする多回路電力計測装置。
【発明の詳細な説明】
【技術分野】
【０００１】
この発明は配電線等の被測定電線に流れる電力・電力量を計測する多回路電力計測装置のなかで、異なる電圧系統（以下「異系統」と記す）の複数回路の計測と、同じ電圧系統（以下「同系統」と記す）の複数回路の計測が可能な多回路電力計測装置に関するものである。
【背景技術】
【０００２】
従来の多回路電力計測装置で、回路数に応じて装置の規模を追加変更できるものが提案されている。このような装置の中には、異系統の電圧の複数回路について計測を行う装置と、同系統の電圧で複数回路の計測を行う装置がある。
【０００３】
特許文献１は異系統の電圧の複数回路について電力計測を行う装置であり、変流器で検出された負荷機器に流れる電流信号、及び配電フィーダから供給される電圧信号に基づき負荷機器の電力使用量を演算する電力演算部を有する複数の計測用ユニットと、この計測用ユニットのデータを集める本体ユニットと、から構成されている（例えば、特許文献１参照）。
【０００４】
特許文献２は同系統の電圧の複数回路について計測を行う装置であり、配線の電圧を計測するための電圧変換回路を備えた主装置と、個々の回路に設置され、自身が計測する電流信号及び主装置の電圧変換回路から送られる電圧信号から電力を演算する電力演算回路を備えた個別計測装置と、から構成されている（例えば、特許文献２参照）。
【先行技術文献】
【特許文献】
【０００５】
【特許文献１】特開２００４−８５４１３号公報
【特許文献２】特開２００３−２２２６４５号公報
【発明の概要】
【発明が解決しようとする課題】
【０００６】
ここで、異系統と同系統の電圧の両方の電力計測を実現する装置を考える。
まず、異系統の電圧を計測可能な装置で同系統の計測を行う場合は、装置外部で電圧線を渡り配線すれば実現できるが、配線が多く複雑になる。
一方、同系統電圧の複数回路を計測する装置では、そもそも電圧が異なる異系統の電力を計測することができない。
【０００７】
この発明の目的は、１台の多回路電力計測装置で同系統、異系統の電圧回路の電力・電力量を計測することができ、同系統の電圧計測時には、電圧配線の外部渡り配線が不要である多回路電力計測装置を提供することにある。
【課題を解決するための手段】
【０００８】
この発明に係る多回路電力計測装置は、複数の電力計測ユニットで構成され前記複数の電力計測ユニットによって異系統の電圧の多回路の電力計測と同系統の電圧の多回路の電力計測を、電力計測が行われる配線の電圧と電流とに基づいて行え、それぞれの前記電力計測の結果が表示される多回路電力計測装置であって、前記複数の電力計測ユニットの各々が、前記電力計測が行われる配線にかかる電圧を入力する電圧入力部、前記配線に流れる電流を入力する電流入力部、電圧と電流とに基づいて電力および電力量を演算する演算部、および通信接続部を有し、前記複数の電力計測ユニットの一つ以外の他の電力計測ユニットが、前記異系統の電圧を用いて前記演算を行うか前記同系統の電圧を用いて前記演算を行うか択一的に切替える電圧入力選択部を有し、前記電圧入力選択部によって前記同系統の電圧を用いて前記演算を行うと選択されると、電圧信号を渡す側の電力計測ユニットの電圧演算結果を前記電圧信号が渡される側の電力計測ユニットに前記通信接続部を通して送信し、前記電圧信号を渡す側の電力計測ユニットの電圧演算結果と前記電圧信号が渡される側の電力計測ユニットの電圧演算結果が一致するように前記電圧信号が渡される側の電力計測ユニットの前記演算を自動調整するものである。
【発明の効果】
【０００９】
この発明による多回路電力計測装置は、複数の電力計測ユニットで構成され前記複数の電力計測ユニットによって異系統の電圧の多回路の電力計測と同系統の電圧の多回路の電力計測を、電力計測が行われる配線の電圧と電流とに基づいて行え、それぞれの前記電力計測の結果が表示される多回路電力計測装置であって、前記複数の電力計測ユニットの各々が、前記電力計測が行われる配線にかかる電圧を入力する電圧入力部、前記配線に流れる電流を入力する電流入力部、電圧と電流とに基づいて電力および電力量を演算する演算部、および通信接続部を有し、前記複数の電力計測ユニットの一つ以外の他の電力計測ユニットが、前記異系統の電圧を用いて前記演算を行うか前記同系統の電圧を用いて前記演算を行うか択一的に切替える電圧入力選択部を有し、前記電圧入力選択部によって前記同系統の電圧を用いて前記演算を行うと選択されると、電圧信号を渡す側の電力計測ユニットの電圧演算結果を前記電圧信号が渡される側の電力計測ユニットに前記通信接続部を通して送信し、前記電圧信号を渡す側の電力計測ユニットの電圧演算結果と前記電圧信号が渡される側の電力計測ユニットの電圧演算結果が一致するように前記電圧信号が渡される側の電力計測ユニットの前記演算を自動調整するので、１台の多回路電力計測装置で同系統、異系統の電圧回路の電力・電力量を計測することができ、同系統の電圧計測時には、電圧配線の外部渡り配線が不要である多回路電力計測装置を提供することができる。
【図面の簡単な説明】
【００１０】
【図１】この発明の実施の形態１を示す図で、多回路電力計測装置の一例において異系統電圧を用いて計測する結線をした場合の一例を示す回路構成図である。
【図２】この発明の実施の形態１を示す図で、多回路電力計測装置の一例において同系統電圧を用いて計測する結線をした場合の一例を示す回路構成図である。
【図３】この発明の実施の形態１における電力・電力量の調整を説明するための図で、電力・電力量の調整のシーケンスを例示するシーケンス図である。
【図４】この発明の実施の形態１を示す図で、多回路電力計測装置の一例においてサブユニットがメインユニットの電圧信号を演算に使用するように設定した場合の動作シーケンスを例示するシーケンス図である。
【図５】この発明の実施の形態１を示す図で、多回路電力計測装置の一例においてサブユニットが自電力計測ユニットの電圧信号を演算に使用するように設定した場合の動作シーケンスを例示するシーケンス図である。
【図６】この発明の実施の形態２を示す図で、多回路電力計測装置の他の例を示す回路構成図である。
【図７】この発明の実施の形態２を示す図で、前段の電力計測ユニットの電圧を選択した場合の設定・調整のシーケンスを例示するシーケンス図である。
【発明を実施するための形態】
【００１１】
実施の形態１．
以下、この発明の実施の形態１を図１から図５によって説明する。図１は多回路電力計測装置の一例において異系統電圧を用いて計測する結線をした場合の一例を示す回路構成図、図２は多回路電力計測装置の一例において同系統電圧を用いて計測する結線をした場合の一例を示す回路構成図である。  図１に例示する多回路電力計測装置の結線方式では、異系統電圧配線である２ａ、２ｂ、２ｃ（以下、代表番号「２」で表記する場合もある）の複数の異系統回路の電力・電力量を計測するものであり、メインの電力計測ユニット（以下「メインユニット」と記す）１ａとサブの電力計測ユニット（以下「サブユニット」と記す）１ｂ、１ｃにより構成される。
【００１２】
また、図２に例示する多回路電力計測装置の結線方式では、同系統電圧配線である２０ａ、２０ｂ、２０ｃ（以下、代表番号「２０」で表記する場合もある）の複数回路の電力・電力量を計測する。
ここで例えば、異系統電圧配線２ａはＡＣ１１０Ｖ、異系統電圧配線２ｂはＡＣ２１０Ｖ、異系統電圧配線２ｃはＡＣ４４０Ｖなど多回路電力計測装置が結線される各配線の電圧が異なり、同系統電圧配線２０ａ，２０ｂ，２０ｃは全て同じ例えばＡＣ１１０Ｖなどである。
なお、本実施の形態１の例ではサブユニットの数は２個だが、１個、３個以上で構成することも可能である。
【００１３】
まず、図１について詳細に説明する。メインユニット１ａは、配線２ａにかかる電圧を入力し、低電圧の電圧信号に変換する電圧入力部４ａと、配線に流れる電流を変流器３ａ，３ｂで電圧に変換し、変換された電圧を低電圧の電流信号に変換する電流入力部５ａと、電圧入力部４ａの出力の電圧信号をサブユニット１ｂへ渡すための電圧信号渡部７ａと、電圧入力部４ａの出力である電圧信号と電流入力部５ａの出力信号である電流信号とからそれらをアナログ値からデジタル値に変換して電力・電力量を演算するＡＤ変換／計測演算部６ａと、各サブユニット１ｂ，１ｃおよび外部設定器１０ａと通信するための通信接続部９ａ，９ｂと、ＡＤ変換／計測演算部６ａでの演算結果の表示と表示内容の切替えが可能な表示／操作部１１ａとを備えている。なお、電圧入力部４ａと電圧信号渡部７ａとはメインユニット１ａ内の電圧渡線４７ａでつながっており、通信接続部９ａ，９ｂはメインユニット１ａ内の通信信号の伝送線９ａｂでつながっている。
【００１４】
サブユニット１ｂは、配線２ｂにかかる電圧を入力し、低電圧信号に変換する電圧入力部４ｂと、配線２ｂに流れる電流を変流器３ｃ，３ｄで変換し、変換された信号を電流信号に変換する電流入力部５ｂと、電圧をメインユニット１ａから渡るための電圧信号渡部７ａと、電圧を後段のサブユニット１ｃへ渡すための電圧信号渡部７ｂと、メインユニット１ａの電圧信号とサブユニット１ｂの電圧信号のどちらを使用するのか選択する電圧入力選択部８ａ（図１では電圧信号選択部８ａはサブユニット１ｂの電圧信号を選択している状態）と、電圧入力部４ｂの出力である電圧信号と電流入力部５ｂの出力信号である電流信号とからそれらをアナログ値からデジタル値に変換して電力・電力量を演算するＡＤ変換／計測演算部６ｂと、演算に必要な電圧演算比（詳細は後述する）を記憶しておく記憶部１２ａと、前段のメインユニット１ａ、後段のサブユニット１ｃ、および外部設定器１０ａと通信するための通信接続部９ｂ，９ｃとを備えている。なお、電圧信号渡部７ａ，７ｂはサブユニット１ｂ内の電圧渡線７ａｂでつながっており、通信接続部９ａｂ，９ｂｃはサブユニット１ｂ内の通信信号の伝送線９ｂｃでつながっている。
サブユニット１ｃについても前述のサブユニット１ｂと同様の構成および機能である。なお、電圧信号渡部７ｂ，７ｃはサブユニット１ｃ内の電圧渡線７ｂｃでつながっており、通信接続部９ｃ，９ｄはサブユニット１ｃ内の通信信号の伝送線９ｃｄでつながっている。
【００１５】
次に、図２について説明する。図２が図１と違う点は、サブユニット１ｂがメインユニット１ａの電圧信号を選択している点である。これにより、図２ではサブユニット１ｂのＡＤ変換／計測演算部６ｂには、メインユニット１ａの電圧信号（電圧入力部４ａの出力信号）とサブユニット１ｂの電流信号（電流入力部５ｂの出力信号）と記憶部１２ａの電圧演算比とが入力される。
サブユニット１ｃについても、サブユニット１ｂと同様に、サブユニット１ｃのＡＤ変換／計測演算部６ｃには、メインユニット１ａの電圧信号（電圧入力部４ａの出力信号）とサブユニット１ｃの電流信号（電流入力部５ｃの出力信号）と記憶部１２ｂの電圧演算比とが入力される。
【００１６】
次に、このように構成された実施の形態１に係る多回路電力計測装置の動作を説明する。
まず図１では、配線２ａにかかる電圧をメインユニット１ａの電圧入力部４ａに入力して電圧信号に変換する。また、配線２ａに流れる電流は変流器３ａ，３ｂで信号変換し、変換された信号は電流入力部５ａで電流信号に変換される。そして、ＡＤ変換／計測演算部６ａで電圧信号（電圧入力部４ａの出力信号）と電流信号（電流入力部５ａの出力信号）に基づき電力・電力量を演算する。ＡＤ変換／計測演算部６ａで得られた電力・電力量は、通信信号の伝送線を通って表示／操作部１１ａに伝送され、電力・電力量の計測値が表示／操作部１１ａの表示部に表示される。
また、サブユニット１ｂ、サブユニット１ｃについては、メインユニットと同様に処理された電圧信号と電流信号に加えて、記憶部１２（１２は１２ａ，１２ｂの代表番号）の電圧演算比に基づきＡＤ変換／計測演算部６ｂ，６ｃで電力・電力量を演算し、演算結果はそれぞれ、表示／操作部１１ａに伝送され、それぞれの電力・電力量の計測値が表示／操作部１１ａの表示部に表示される。
【００１７】
次に、図２について説明する。図２が図１と違う点は、サブユニット１ｂがメインユニット１ａの電圧信号を選択している点である。これにより、図２では配線２０ａの電圧が電圧入力部４ａ、電圧信号渡部７ａを通るため、ＡＤ変換／計測演算部６ｂには、メインユニット１ａの電圧信号とサブユニット１ｂの電流信号（配線２０ｂから入力した電流入力部５ｂの出力信号）とが入力され、これら入力された電圧信号と電流信号と記憶部１２ａの電圧演算比とから電力・電力量を演算する。
サブユニット１ｃについても、サブユニット１ｂと同様に、配線２０ａの電圧が電圧入力部４ａ、電圧信号渡部７ａ，７ｂを通るため、ＡＤ変換／計測演算部６ｃには、メインユニット１ａの電圧信号とサブユニット１ｃの電流信号（配線２０ｃから入力した電流入力部５ｃの出力信号）とが入力され、これら入力された電圧信号と電流信号と記憶部１２ｂの電圧演算比とから電力・電力量を演算する。
【００１８】
次に電力・電力量の調整について説明する。計測回路の特性は装置ごとに違いがあるため、計測演算の調整を行うことで精度よく電力・電力量を計測できるようにする。
まず、多回路電力計測装置の出荷時に図１の構成で電力・電力量の調整をする。図３に電力・電力量の調整のシーケンス図を示す。出荷時の調整の手順は、まず精度よく調整された基準となる電力計測装置と、調整前の本発明の多回路電力計測装置とが同じ配線の電力を計測するように結線する。そして、配線に電圧および電流を入力し、調整の作業者は外部設定器を用いてその時の電力・電力量・力率をそれぞれの電力計測装置から読み出して、本発明品の多回路電力計測装置の計測値が、調整された基準となる電力計測装置の計測値と同じになるように本発明品の多回路電力計測装置の調整および設定を行う。
【００１９】
ここで、本実施の形態１では、サブユニット１ｂ，１ｃが自身の計測電圧を使用する場合とメインユニット１ａの計測電圧を使用する場合とで計測回路が異なるため、図１の結線方式の回路構成での調整とは別に図２の結線方式の回路構成に対しても同様の調整を行う必要があるが、出荷時に図１の結線方式の回路構成での調整と別に図２の結線方式の回路構成での調整を行うと２つの問題が生じる。１つは、倍の調整時間がかかってしまう問題であり、もう１つはメインユニットとサブユニットとを組合せて調整するため、出荷後に現地において新たにサブユニットを増設することができないという問題がある。
【００２０】
そこで、本実施の形態１では、図２での調整を多回路電力計測装置自体が自動で行う仕組みにしてある。外部設定器１０ａによりメインユニット１ａの電圧を設定した場合には、通信接続部９ａ，９ｂ，９ｃを通してメインユニット１ａの電圧演算結果を各サブユニットに渡し、各サブユニット１ｂ，１ｃは、メインユニット１ａの電圧演算結果に自電力計測ユニットの電圧演算結果が一致するように、自動調整を行う。
【００２１】
この自動調整は、電圧演算比を算出する処理のことを言い、電圧演算比は、「メインユニットの電圧演算結果÷自電力計測ユニットの電圧演算結果」で求めることができる。電圧と電流とに基づく電力・電力量の演算時に用いる電圧として、「電圧演算比×自電力計測ユニットの電圧演算結果」で求めた電圧演算結果を用いる。
この自動調整は、電圧信号選択部８（８は８ａ，８ｂの代表番号）の切替えによりＡＤ変換／計測演算部６へ入力される電圧の振幅が変化することに対応する処理である。電圧信号の計測回路に、位相のずれが演算結果に影響しない程度のものを使用することで、電圧振幅の調整のみで切替えに対応できる。
【００２２】
図４はサブユニット１ｂ，１ｃがメインユニット１ａの電圧信号を演算に使用するように設定した場合の動作シーケンスを例示するシーケンス図である。図４に示す通り、まず外部設定器１０ａからメインユニット１ａの電圧信号を選択する設定を送信し、メインユニット１ａが信号を受信した後、メインユニット１ａの電圧演算結果をサブユニット１ｂ，１ｃに送信する。そして、サブユニット１ｂ，１ｃは電圧信号選択部８ａ，８ｂが、メインユニットの電圧入力信号を選択するように切替え、受信したメインユニット１ａの電圧演算結果と自電力計測ユニットの電圧演算結果から前述の電圧演算比を求め、記憶部１２ａ，１２ｂに電圧演算比を記憶する。これ以降、自電力計測ユニットの電圧信号を演算に使用するように設定されるまで、この電圧演算比を用いて電力を演算する。
【００２３】
図５はサブユニット１ｂ，１ｃが自電力計測ユニットの電圧信号を演算に使用するように設定した場合の動作シーケンスを例示するシーケンス図である。図５に示す通り、まず外部設定器１０ａから自電力計測ユニットの電圧信号を選択する設定の信号をサブユニット１ｂ，１ｃに通信接続部９ａ，９ｂ，９ｃを介して送信し、サブユニット１ｂ，１ｃが当該信号を受信した後、サブユニット１ｂ，１ｃの前述の電圧演算比を１として記憶部１２ａ、１２ｂに電圧演算比を記憶する。電圧演算比を１とすることで、図１の結線方式の回路構成に対して調整された結果が適応される。これ以降、メインユニットの電圧信号を演算に使用するように設定されるまで、この電圧演算比を用いて電力を演算する。
【００２４】
このように実施の形態１に係る多回路電力計測装置によれば、サブユニット、メインユニットのどちらの電圧でも同一の装置を用いて計測することができ、メインユニットの電圧を使用する場合は装置外部の渡り配線を省略できるため、装置外部の渡り配線の結線の間違いの軽減、結線作業の効率化ができる。また、メインユニットの電圧を使用する場合の調整を自動で行うことで、出荷時の調整は装置外部の電圧信号渡部を持たない多回路電力計測装置と統一でき、出荷後に新たにサブユニットを増設することも可能である。
【００２５】
実施の形態２．
以下、この発明の実施の形態２を図６および図７により説明する。図６は多回路電力計測装置の他の例を示す回路構成図、図７は前段の電力計測ユニットの電圧を選択した場合の設定・調整のシーケンスを例示するシーケンス図である。
実施の形態２において実施の形態１と異なる点は、実施の形態２では自電力計測ユニットの電圧のほかに、メインユニット１ａの電圧信号のみの選択ではなく、自電力計測ユニットの１つ前の電力計測ユニット（以下「前段の電力計測ユニット」と記す）の電圧信号を選択できる点である。ここで、前段の電力計測ユニットとは、サブユニット１ｂではメインユニット１ａに、サブユニット１ｃではサブユニット１ｂにそれぞれあたり、図６上で１つ上に示されているユニットのことである。
なお、自電力計測ユニットの１つ前の電力計測ユニットの電圧信号を選択できるように、メインユニット１ａにおいては、電圧入力部４ａと電圧信号渡部７ａとはメインユニット１ａ内の電圧渡線４７ａでつながっており、通信接続部９ａ，９ｂはメインユニット１ａ内の通信信号の伝送線９ａｂでつながっており、サブユニット１ｂにおいては、電圧信号渡部７ａ，７ｂはサブユニット１ｂ内の電圧渡線４７ｂおよび電圧信号選択部８ａでつながり、通信接続部９ｂ，９ｃはサブユニット１ｂ内の通信信号の伝送線９ｂｃでつながり、サブユニット１ｃにおいては、電圧信号渡部７ｂ，７ｃはサブユニット１ｃ内の電圧渡線４７ｃおよび電圧信号選択部８ｂでつながり、通信接続部９ｃ，９ｄはサブユニット１ｃ内の通信信号の伝送線９ｃｄでつながるように回路構成されている。
【００２６】
実施の形態２における前述の自動調整では、前段の電力計測ユニットの電圧を使用するように設定されたサブユニット（以下「後段の電力計測ユニット」と記す）において、前段の電力計測ユニットの電圧演算結果と後段の電力計測ユニットの電圧演算結果とが一致するように自動調整を行う。
この自動調整では、電圧演算比として「前段の電力計測ユニットの電圧演算結果÷後段の電力計測ユニットの電圧演算結果」を求める。そして、電力・電力量の演算時には前述の実施の形態１と同様に「電圧演算比×後段の電力計測ユニットの電圧演算結果」で求めた電圧演算結果を、電圧と電流とに基づく電力・電力量の演算時に用いる電圧として用いる。
【００２７】
前段の電力計測ユニットの電圧を選択した場合の設定・調整のシーケンス図である図７に示す通り、まず外部設定器１０ａから前段の電力計測ユニットの電圧信号を選択する設定の信号を通信接続部９ａ，９ｂ，９ｃを介して送信し、前段の電力計測ユニットが信号を受信した後、前段の電力計測ユニットの電圧演算結果を後段の電力計測ユニットに送信する。そして、後段の電力計測ユニットの電圧信号選択部８が、前段の電力計測ユニットの電圧入力信号を選択するように切替え、後段の電力計測ユニットは受信した前段の電力計測ユニットの電圧演算結果から前述の電圧演算比を求め、電圧演算比を記憶部１２に記憶する。これ以降、自電力計測ユニットの電圧信号を演算に使用するように設定されるまで、この電圧演算比を用いて電力を演算する。
自電力計測ユニットの電圧信号を選択した場合は実施の形態１と同様に、ユニットの電圧演算比を１として記憶部１２に記憶することで、出荷時に自電力計測ユニットの電圧に対して行った調整が適応される。
【００２８】
このように実施の形態２に係る多回路電力計測装置によれば、自電力計測ユニットのほかに、他の電力計測ユニットの電圧を使用する場面においても装置外部の渡り配線を省略でき、出荷後に新たに電力計測ユニットを増設することも可能である。
【００２９】
前述の実施の形態１および２は、前述のように、以下の特徴を有している。
特徴Ａ１：異系統の電圧の多回路計測と同系統の電圧の多回路計測が可能な多回路電力計測装置において、複数ユニットで構成され、各ユニットには、配線にかかる電圧を入力する電圧入力部と、配線に流れる電流を入力する電流入力部と、電力・電力量を演算するＡＤ変換／計測演算部と、ユニット間、表示／操作部、外部設定器と通信するための通信接続部を備え、メインユニットには、演算結果の表示と表示内容の切替えが可能な表示／操作部を備え、サブユニットには、異系統の電圧を用いるか同系統の電圧を用いて電力・電力量演算を行うかを切替える電圧入力選択部と電圧演算比を記憶する記憶部を備える多回路電力計測装置である。
特徴Ａ２：出荷時に異系統の回路から入力された電圧、電流に対して電力・電力量計測の調整を行い、同系統の電圧印加時には装置が自動で調整を行う多回路電力計測装置である。
特徴Ａ３：同系統の電圧を計測する場合に、通信接続部を通して電圧信号を渡す側のユニットの電圧演算結果を渡される側のユニットに送信し、電圧信号を渡す側のユニットの電圧演算結果と渡される側のユニットの電圧演算結果が一致するように自動で調整することで、電力・電力量の調整が可能な多回路電力計測装置である。
特徴Ａ４：多回路電力計測装置として、メインユニットと複数のサブユニットで構成されるユニット型の装置を考える。異系統電圧の計測時には各ユニットの電圧信号入力端子に結線を行い、同系統電圧の計測時には内部の回路を切替えて電圧信号をユニット間で渡す切替え部を備えたものである。
特徴Ａ５：同一計測装置で同系統、異系統の電圧回路の電力・電力量を計測でき、異系統の電圧計測時に比べて同系統の電圧計測時には省配線可能となる。
特徴Ａ６：１台で異系統の電圧でも同系統の電圧を計測可能な多回路電力計測装置において、同系統の電圧計測時には、電圧配線の外部渡り配線が不要である多回路電力計測装置を得るために、メインユニットと複数のサブユニットで構成されるユニット型の装置において、ユニット間に電圧信号渡部７ａを備え、メインユニットの電圧入力部４ａの出力電圧は電圧信号渡部７ａを渡る。サブユニット１ｂの電圧入力選択部８ａは、使用する電圧を電圧入力部４ｂの出力か電圧入力部４ａの出力か切替えることで、異系統電圧と同系統電圧を切替えての電力演算を行うことができるようにした多回路電力計測装置である。
特徴Ｂ１：複数の電力計測ユニットで構成され前記複数の電力計測ユニットによって異系統の電圧の多回路の電力計測と同系統の電圧の多回路の電力計測を、電力計測が行われる配線の電圧と電流とに基づいて行え、それぞれの前記電力計測結果が表示される多回路電力計測装置であって、前記複数の電力計測ユニットの各々が、前記電力計測が行われる配線にかかる電圧を入力する電圧入力部、前記配線に流れる電流を入力する電流入力部、電圧と電流とに基づいて電力および電力量を演算する演算部、および通信接続部を有し、前記複数の電力計測ユニットの一つ以外の他の電力計測ユニットが、前記異系統の電圧を用いて前記演算を行うか前記同系統の電圧を用いて前記演算を行うか択一的に切替える電圧入力選択部を有し、前記電圧入力選択部によって前記同系統の電圧を用いて前記演算を行うと選択されると、電圧信号を渡す側の電力計測ユニットの電圧演算結果を前記電圧信号が渡される側の電力計測ユニットに前記通信接続部を通して送信し、前記電圧信号を渡す側の電力計測ユニットの電圧演算結果と前記電圧信号が渡される側の電力計測ユニットの電圧演算結果が一致するように前記電圧信号が渡される側の電力計測ユニットの前記演算を自動調整することを特徴とする多回路電力計測装置。
特徴Ｂ２：特徴Ｂ１の多回路電力計測装置において、前記複数の電力計測ユニットが、出荷時にそれぞれ前記異系統の電圧の回路から入力された電圧および電流に基づいて前記電力計測の調整が行われ、前記同系統の電圧の多回路からの電圧印加時には前記電圧信号が渡される側の電力計測ユニットが前記演算を自動調整する多回路電力計測装置である。
特徴Ｂ３：特徴Ｂ１または特徴Ｂ２の多回路電力計測装置において、前記電圧信号を渡す側の電力計測ユニットが、前記電力計測結果が表示される機能を有するメイン電力計測ユニットであり、前記電圧信号が渡される側の電力計測ユニットが、前記電力計測結果が表示される機能を有さないサブ電力計測ユニットであり、前記電圧信号が渡される側の電力計測ユニットの前記電力計測結果が通信接続部を介して前記メイン電力計測ユニット表示される多回路電力計測装置である。
特徴Ｂ４：特徴Ｂ１または特徴Ｂ２の多回路電力計測装置において、前記電圧信号を渡す側の電力計測ユニットおよび前記電圧信号が渡される側の電力計測ユニットが、前記電力計測結果が表示される機能を有さないサブ電力計測ユニットである多回路電力計測装置である。
【００３０】
なお、本発明は、その発明の範囲内において、各実施の形態を適宜、組み合わせ、変形、省略することができる。
なお、各図中、同一符合は同一または相当部分を示す。
【符号の説明】
【００３１】
１    電力計測ユニット、  １ａ    メインの電力計測ユニット（メインユニット）、
１ｂ，１ｃ    サブの電力計測ユニット（サブユニット）、  ２    異系統電圧配線、
３，３ａ，３ｂ，３ｃ，３ｄ，３ｅ，３ｆ    変流器、
４，４ａ，４ｂ，４ｃ    電圧入力部、  ５，５ａ，５ｂ，５ｃ    電流入力部、
６，６ａ，６ｂ，６ｃ    ＡＤ変換／計測演算部、
７，７ａ，７ｂ，７ｃ    電圧信号渡部、  ８，８ａ，８ｂ    電圧入力選択部、
９，９ａ，９ｂ，９ｃ    通信接続部、  １０ａ    外部設定器、
１１ａ    表示／操作部、１２，１２ａ，１２ｂ    記憶部、
２０，２０ａ，２０ｂ，２０ｃ    同系統電圧配線、
９ａｂ，９ｂｃ，９ｃｄ    ユニット内の伝送線、
４７ａ，７ａｂ，７ｂｃ，４７ｂ，４７ｃ    ユニット内の電圧渡線。
【図１】
2015230271.tif 000003
【図２】
2015230271.tif 000004
【図３】
2015230271.tif 000005
【図４】
2015230271.tif 000006
【図５】
2015230271.tif 000007
【図６】
2015230271.tif 000008
【図７】
2015230271.tif 000009